(57)【要約】【課題】遠隔設置された増幅装置の装置種別を意識することなく、ＭＤＥ部から増幅装置及び付随した外部装置の保守監視制御を可能にすること。【解決手段】ＭＤＥ部１から光張出しされたＡＭＰ部３の保守監視制御を行う保守監視制御システムにおいて、ＡＭＰ部３の各機能部に対する監視制御範囲をセクタ単位に区分し、ＡＭＰ部３とＭＤＥ部１との間にセクタ毎に監視制御用のリンク３０−１〜３０−ｎを確立し、リンクを介してセクタ単位の監視制御を実施する。このとき、共通部リンクとして使用する代表リンクに障害が発生した場合には、代表リンクを正常な別リンクに切り替えて、ＡＭＰ部３の全体の保守監視制御が不能になるといった事態を防止する。【選択図】図１
2010041239.tif 000002
【特許請求の範囲】
【請求項１】
増幅装置の監視制御範囲をセクタ単位に区分し、前記増幅装置と変復調装置との間にセクタ毎に監視制御用のリンクを確立し、リンクを介してセクタ単位の監視制御を実施することを特徴とする保守監視制御システム。
【請求項２】
前記増幅装置の監視制御範囲を、セクタ単位の機能部と、増幅装置単位で持つ機能部で構成される共通部とに分け、セクタ単位で確立した複数リンクの中から選択された代表リンクを介して前記共通部の監視制御を実施することを特徴とする請求項１記載の保守監視制御システム。
【請求項３】
代表リンクに障害が発生した場合、代表リンクを別のリンクに切り替えることを特徴とする請求項２記載の保守監視制御システム。
【請求項４】
複数セクタ対応の増幅装置と１セクタ対応の増幅装置とが混在して変復調装置に接続され、前記増幅装置に対する監視制御をセクタ単位で非同期に実施することを特徴とする請求項１から請求項３のいずれかに記載の保守監視制御システム。
【請求項５】
前記各増幅装置と変復調装置との間は、全リンクで共通の共通インターフェースを介して保守監視制御信号が送受信されることを特徴とする請求項１から請求項４のいずれかに記載の保守監視制御システム。
【請求項６】
増幅装置の監視制御範囲をセクタ単位に区分し、前記増幅装置との間にセクタ毎に監視制御用のリンクを確立し、リンクを介してセクタ単位の監視制御を実施することを特徴とする変復調装置。
【請求項７】
セクタ単位で確立した複数リンクの中から選択された代表リンクを介して増幅装置単位で持つ機能部で構成される共通部の監視制御を実施することを特徴とする請求項６記載の変復調装置。
【請求項８】
変復調装置に光ファイバ経由で接続され、複数セクタに対応した機能部と増幅装置単位で持つ機能部で構成される共通部とを有する増幅装置であって、監視制御範囲をセクタ単位に区分し、変復調装置との間にセクタ毎に監視制御用のリンクを確立し、リンクを介してセクタ単位の監視制御が実施されることを特徴とする光張出し増幅装置。
【請求項９】
セクタ単位で確立した複数リンクの中から選択された代表リンクを介して前記共通部の監視制御を実施することを特徴とする請求項８記載の光張出し増幅装置。
【請求項１０】
増幅装置の各機能部に対する監視制御範囲をセクタ単位に区分し、前記増幅装置と変復調装置との間にセクタ毎に監視制御用のリンクを確立し、リンクを介してセクタ単位の監視制御を実施することを特徴とする保守監視制御方法。
【発明の詳細な説明】
【技術分野】
【０００１】
本発明は、無線基地局装置の変復調装置から光ファイバ等の伝送ラインを介して遠隔設置された増幅装置を変復調装置において保守監視制御する保守監視制御システム及び保守監視制御方法に関する。
【背景技術】
【０００２】
無線基地局装置の増幅装置として、変復調装置（ＭＤＥ:Modulation  and  Demodulation  Equipment）に隣接配置して同軸ケーブルで接続される送信増幅装置(ＡＭＰ:AMPlifier)と、ＭＤＥ部から遠隔設置され光ファイバケーブル経由で接続される光張出し送受信装置（ＯＦ−ＴＲＸ:Optical  Feeder  Transmitter  and  Receiver）とがある。ＡＭＰ部には屋外受信増幅器（ＯＡＲＡ:  Open  Air  Receiver  Amplifier)及び当該ＯＡＲＡ部を監視制御する屋外受信増幅器監視制御装置（ＯＡＲＡＳＣ:Open  Air  Receiver  Amplifier  Supervisory  Controller)が付随して設けられている。また、ＭＤＥ部からみて監視制御対象となる外部装置には、ＯＡＲＡ以外にも、電源設備、アンテナチルトの制御ＢＯＸ、メンテナンスツール等が含まれる。
【０００３】
従来、ＭＤＥ部に対してＡＭＰ部の外部装置であるＯＡＲＡＳＣ部を監視用ケーブルで接続し、ＯＡＲＡＳＣ部とＡＭＰ部との間で保守監視制御信号を直接送受信していた。同様に、ＭＤＥ部に近接設置されている電源設備等の外部装置との間も監視用ケーブルで接続し、電源設備の保守監視制御信号を直接取り込むことができるように構成していた。
【０００４】
また、ＭＤＥ部から遠隔設置されたＯＦ−ＴＲＸ部及び付随した外部装置の保守監視制御も行う必要がある。ＭＤＥ部から遠隔設置されたＯＦ−ＴＲＸ部及び付随した外部装置の保守監視制御を行う場合、ＯＦ−ＴＲＸ部及び外部装置の構成情報等をＭＤＥ部に予め入力して把握し、その上でＭＤＥ部とＯＦ−ＴＲＸ部との間で光ファイバケーブル経由で通信して保守監視制御信号を送受信することが考えられている。
【０００５】
ところで、アンテナ直近の屋外設置スペースが確保できない場合、ＡＭＰ部を遠隔設置し、ＭＤＥ部とＡＭＰ部との間を光ファイバで接続するシステム構成を採ることが考えられる。すなわち、ＡＭＰ部の光張出し化が考えられている。
【特許文献１】特開２００３−３７５５１号公報
【特許文献２】特開２００７−３０６３６２号公報
【発明の開示】
【発明が解決しようとする課題】
【０００６】
しかしながら、ＡＭＰ部を光張出し化してＭＤＥ部から遠隔設置した場合、従来システムのようにＭＤＥ部とＡＭＰ部に付随した外部装置との間を監視用ケーブルで接続したのではコスト高になるといった問題がある。ＭＤＥ部とＡＭＰ部とを接続することとなる光ファイバケーブルを使用して外部装置の保守監視制御信号を送受信することが望まれるが、この場合にはＡＭＰ部を経由した外部装置の監視制御の仕組みが必要となる。
【０００７】
また、ＭＤＥ部から監視制御対象となる張出し装置と通信する場合、複数の装置種別（ＡＭＰ部、ＯＦ−ＴＲＸ部）が存在するため、従来のＯＦ−ＴＲＸ部に対する監視制御と同じ方式を採用したのではＭＤＥ部で装置種別を意識して保守監視制御を実施しなければならず、ＭＤＥ部での処理が複雑化する問題がある。
【０００８】
本発明は、かかる点に鑑みてなされたものであり、遠隔設置された増幅装置の装置種別を意識することなく、ＭＤＥ部から増幅装置及び付随した外部装置の保守監視制御を可能にした増幅装置の保守監視制御システム及び保守監視制御方法を提供することを目的とする。
【課題を解決するための手段】
【０００９】
本発明の保守監視制御システムは、増幅装置の監視制御範囲をセクタ単位に区分し、前記増幅装置と変復調装置との間にセクタ毎に監視制御用のリンクを確立し、リンクを介してセクタ単位の監視制御を実施することを特徴とする。
【００１０】
この構成によれば、増幅装置の監視制御範囲をセクタ単位に区分し、セクタ毎に監視制御用のリンクを確立して監視制御を実施するので、増幅装置の装置種別や装置構成を意識することなく、保守監視制御を実施でき、変復調装置での処理の簡素化を図ることができる。
【００１１】
また本発明は、上記保守監視制御システムにおいて、前記増幅装置の監視制御範囲を、セクタ単位の機能部と、増幅装置単位で持つ機能部で構成される共通部とに分け、セクタ単位で確立した複数リンクの中から選択された代表リンクを介して前記共通部の監視制御を実施することを特徴とする。
【００１２】
この構成により、セクタ単位で確立した複数リンクの中から選択された代表リンクを介して共通部の監視制御を実施するので、共通部に専用の監視ケーブルを設ける必要がなく、コストの低減を図ることができる。
【００１３】
また本発明は、上記保守監視制御システムにおいて、代表リンクに障害が発生した場合、代表リンクを別のリンクに切り替えることを特徴とする。
【００１４】
この構成により、共通部の監視制御に用いている代表リンクに障害が発生した場合、代表リンクを別のリンクに切り替えることができるので、共通部の監視制御を継続でき、増幅装置全体の保守監視制御が不能になるといった事態を防止することができる。
【発明の効果】
【００１５】
本発明によれば、遠隔設置された増幅装置の装置種別を意識することなく、ＭＤＥ部から増幅装置及び付随した外部装置の保守監視制御が可能になる。
【発明を実施するための最良の形態】
【００１６】
以下、本発明の実施の形態について添付図面を参照して詳細に説明する。
図１は本発明の実施の形態に係る保守監視制御システムが適用された無線基地局装置の概念図である。この無線基地局装置は、ＭＤＥ部１と、ＭＤＥ部１から遠隔地に設置されＭＤＥ部１に光ファイバケーブル２を介して接続された光張出しＡＭＰ部３と、各セクタに設置されＭＤＥ部１に光ファイバケーブル４−１〜４−ｎを介して接続された複数のＯＦ−ＴＲＸ部５−１〜５−ｎとを主に備えて構成される。
【００１７】
ＭＤＥ部１は、保守監視制御部１１と、ベースバンド信号処理機能部１２と、図示していない呼処理制御機能部及び伝送路インターフェース機能部とを備えている。保守監視制御部１１は、光張出しＡＭＰ部３及びＯＦ−ＴＲＸ部５−１〜５−ｎの保守監視制御を実施する機能部である。ベースバンド信号処理機能部１２は、各セクタに設置したＯＦ−ＴＲＸ部５−１〜５−ｎに対応した複数ブロック１２−１〜１２−ｎに分割され、制御チャネル及び通信チャネルの変復調機能を有する。
【００１８】
図２は光張出しＡＭＰ部３の機能部構成を示す図である。光張出しＡＭＰ部３は、送受信に伴う変復調を行う送受信機能部（ＴＲＸ）１３と、送受信機能部（ＴＲＸ）１３で変調された送信信号を増幅する増幅部（Ｔ−ＰＡ）１４と、送受信機能部（ＴＲＸ）１３に入出力する送受信信号をセクタ単位で集約する送受信集約部（ＴＲＸ−ＩＮＦ）１５と、ＡＭＰ部単位で持つ機能部で構成される共通部１６とを備えている。ＡＭＰ部単位で持つ機能部には、外部装置とのインターフェースを持つ機能部、外部装置類の監視制御を行う機能部、さらに実装次第ではファイル類を格納する共通部のカードを含むこともできる。
【００１９】
光張出しＡＭＰ部３は、送受信機能部（ＴＲＸ）１３、増幅部（Ｔ−ＰＡ）１４及び送受信集約部（ＴＲＸ−ＩＮＦ）１５で１セクタに対応可能であり、本例では複数セクタ＃１〜セクタ＃ｎに対応可能な機能部構成となっている。セクタ毎に設けられた送受信集約部（ＴＲＸ−ＩＮＦ）１５は、それぞれ光ファイバケーブル２−１〜２−ｎでＭＤＥ部１に接続されている。
【００２０】
光張出しＡＭＰ部３にはＯＡＲＡ部１７及びＯＡＲＡＳＣ部１８が付随して設けられている。ＯＡＲＡ部１７は、送信側と受信側とを選択的にアンテナに接続するデュプレクサ（ＤＵＰ）１９と、アンテナで受信された受信信号を増幅する低雑音増幅器（ＬＮＡ：Low  Noise  Amplifier)２０とを備える。同図に示す例ではダイバーシチ受信用に２本のアンテナが設けられており、アンテナ毎にデュプレクサ（ＤＵＰ）１９と低雑音増幅器（ＬＮＡ)２０とが設けられている。ＯＡＲＡＳＣ部１８は、ＯＡＲＡ部１７を監視制御して監視制御信号を共通部１６経由でＭＤＥ部１へ送信する。本実施の形態では外部装置としてＯＡＲＡ部１７を例示しているが、前述した通り、ＯＡＲＡ以外にも、電源設備、アンテナチルトの制御ＢＯＸ，メンテナンスツール等も外部装置の概念に含むことができる。
【００２１】
図２には光張出しＡＭＰ部３の監視制御範囲を点線で示している。光張出しＡＭＰ部３は、複数セクタに対応した機能部構成を有しており、複数セクタ分の機能部がセクタ単位で区分されていて、１セクタに対応した機能部が１つの監視制御範囲に設定されている。また、共通部１６は１つの監視制御範囲として設定されている。ＭＤＥ部１との間にはセクタ単位で監視制御用のリンク３０−１〜３０−ｎを確立し、共通部１６は任意のリンク３０−１を代表リンクとして利用しＭＤＥ部１との間で監視制御信号を送受信する。このように、光張出しＡＭＰ部３の機能部（共通部１６を除く）をセクタ単位で区分して監視制御範囲とし、セクタ毎にリンク３０−１〜３０−ｎを確立し、共通部１６の監視制御は切替可能な代表リンクを使用することで冗長化構成としている。
【００２２】
図３はＯＦ−ＴＲＸ部５−１の機能部構成を示す図である。送受信に伴う変復調を行う送受信機能部（ＴＲＸ）２１と、送受信機能部（ＴＲＸ）２１で変調された送信信号を増幅する増幅部（ＡＭＰ）２２と、受信信号を増幅する低雑音増幅器（ＬＮＡ）２３と、送信側と受信側とを選択的にアンテナに接続するデュプレクサ（ＤＵＰ）２４とを２系統分備えており、送受信集約部（ＴＲＸ−ＩＮＦ）２５にて集約している。また、ＯＦ−ＴＲＸ部５−１に付随した外部装置を監視する共通部２６を備えている。同図に示す例ではダイバーシチ受信用に２本のアンテナが設けられている。他のＯＦ−ＴＲＸ部５−２〜５−ｎは、ＯＦ−ＴＲＸ部５−１の機能部構成と同じである。
【００２３】
図３にはＯＦ−ＴＲＸ部５−１の監視制御範囲を点線で示している。ＯＦ−ＴＲＸ部５−１〜５−ｎは１セクタに１つ設置されている。光張出し装置は、ＡＭＰ部及びＯＦ−ＴＲＸの装置種別に拘わらず、１セクタ分の機能部に１つの監視制御範囲を設定する。したがって、１セクタ分の機能部を搭載したＯＦ−ＴＲＸ部５−１は共通部２６を除く全体で１つの監視制御範囲が設定され、共通部２６で１つの監視制御範囲が設定される。ＭＤＥ部１との間には１つの監視制御用のリンク３１−１を確立し、共通部２６は当該リンク３１−１を代表リンクとして利用しＭＤＥ部１との間で監視制御信号を送受信する。
【００２４】
他のＯＦ−ＴＲＸ部５−２〜５−ｎは、ＯＦ−ＴＲＸ部５−１と同様に、全体で１つの監視制御範囲が設定され、共通部２６で１つの監視制御範囲が設定され、ＭＤＥ部１との間には１つの監視制御用のリンク３１−２〜３１−ｎを確立する。
【００２５】
ＭＤＥ部１の機能部である保守監視制御部１１は、装置種別の異なる増幅装置であるＡＭＰ部３とＯＦ−ＴＲＸ部５−１〜５−ｎについて、装置種別を意識することなくリンク単位で監視制御を実施する。保守監視制御部１１は、ＡＭＰ部３及びＯＦ−ＴＲＸ部５−１〜５−ｎとの間に確立した個々のリンク３０−１〜３０−ｎ、リンク３１−１〜３１−ｎにリンク番号を付与し、リンク番号で監視対象ＡＭＰ／ＯＦ−ＴＲＸを認識する。図４はリンク番号と増幅装置との関係を説明する説明図である。図４では、リンク番号＃１、＃２、＃８にＯＦ−ＴＲＸ５−１，５−２，５−ｎが割り当てられ、リンク番号＃３〜＃７にＡＭＰ部３のセクタ＃１〜セクタ＃５が割り当てられている。ＡＭＰ部３のセクタ＃１〜セクタ＃５が割り当てられているリンク番号＃３〜＃７の中から代表リンクを決めておく。なお、ＯＦ−ＴＲＸ５−１，５−２，５−ｎが割り当てられるリンク番号＃１、＃２、＃８についてはそれぞれ代表リンクを兼ねることになる。
【００２６】
ＭＤＥ部１、ＡＭＰ部３及びＯＦ−ＴＲＸ部５−１〜５−ｎは、保守監視制御に関して共通のデータフォーマット及びシーケンスを定めた共通インターフェースをリンク単位で実装する。これにより、ＭＤＥ部１、ＡＭＰ部３及びＯＦ−ＴＲＸ部５−１〜５−ｎのベンダーが異なる場合であっても、リンク単位で共通インターフェースを実装することで保守監視制御に関する通信は可能になる。
【００２７】
図５は共通インターフェースのプロトコルスタックを示す図である。Layer1では長距離接続可能なように光信号を採用している。Layer2ではIQ  DataにてユーザデータをデジタルIQデータとしてマッピングし、L1  Inband  ProtocolにてLayer1の保守監視制御を行い、HDLCにて保守監視制御信号のデータ伝送制御手順を定めている。Layer3ではControl  &  Management  PlaneにてMDE部１と光張出し装置（ＡＭＰ部３及びＯＦ−ＴＲＸ部５−１〜５−ｎ）との間の監視制御データを定めている。代表リンク障害時のリンク切替制御はLayer3のControl  &  Managementにて実行する。Layer4ではベンダー及びキャリア用のアプリケーションにてLayer3と連携して保守監視機能と呼処理機能を実現している。
【００２８】
次に、以上のように構成された本実施の形態の動作について説明する。
図６は代表リンクの決定手順を示す図である。
MDE部１は対向装置（ＡＭＰ部３及びＯＦ−ＴＲＸ部５−１〜５−ｎ）を起動して（ステップＳ１）、ＡＭＰ部３（セクタ単位）及びＯＦ−ＴＲＸ部５−１〜５−ｎとの間にリンクを確立する。図４に示すように、リンク番号から対向装置がＯＦ−ＴＲＸ部５−１〜５−ｎであることを認識すると、ＯＦ−ＴＲＸ部５−１〜５−ｎとの間にはそれぞれ１リンクしかないので、当該リンク（リンク番号＃１、＃２、＃８）を代表リンクとする（ステップＳ２）。
【００２９】
一方、リンク番号から対向装置がＡＭＰ部３であると認識した場合（ステップＳ２）、ＡＭＰ部３には複数セクタに対応して複数のリンク番号が設定されているので、その中から代表リンクを選択する（ステップＳ３）。図４に示す例では、ＡＭＰ部３にはリンク番号＃３〜＃７が付与されているので、この中から代表リンクを選択する。代表リンクがある場合は、代表リンク決定処理を終了するが、未定の場合はＡＭＰ部３に割り当てられたリンク番号＃３〜＃７の中からいずれかを代表リンクに決定する（ステップＳ４）。決定した代表リンク情報はＡＭＰ部３へ通知して共通部リンクを確立する処理へ移行する。
【００３０】
AMP部３では複数セクタに対応しているので、MDE部１との間に複数リンクが確立されている。AMP部３は複数リンクの中から代表リンクはActive設定、代表リンクではない通常リンクはNegative設定としておく。ＭＤＥ部１から代表リンク情報を受け取ると、ＭＤＥ部１から指定されたリンク番号を共通部リンクとして使用できるか判断する（ステップＴ１）。指定されたリンク番号に故障がある等の特別の事情がない限り、現在の設定に拘わらず指定されたリンク番号を代表リンクに設定する。指定通りに代表リンクに設定した場合はＯＫ、特別の事情により代表リンク設定を行わない場合はＮＧを応答する（ステップＴ１）。以上のようにして、ＡＭＰ部３及びＯＦ−ＴＲＸ部５−１〜５−ｎにおける共通部１６、２６の監視制御用に用いる代表リンクを決定できる。
【００３１】
代表リンク決定後は、ＭＤＥ部１の保守監視制御部１１が、ＡＭＰ部３及びＯＦ−ＴＲＸ部５−１〜５−ｎとの間に確立した全てのリンクについてセクタ単位の監視を行う（ステップＳ５）。保守監視制御部１１は、ＡＭＰ部３に対してはセクタ毎のリンク３０−１〜３０−ｎを介してセクタ単位の監視制御を実施する。また、ＡＭＰ部３の共通部１６については代表リンクを介して監視制御を実施することで、ＡＭＰ部３に付随した外部装置（１７，１８）についてもＡＭＰ部３を経由した監視制御を実現できる。保守監視制御部１１は、ＯＦ−ＴＲＸ部５−１〜５−ｎに対してはセクタ毎となる各リンク３１−１〜３１−ｎを介して監視制御を実施する。ＯＦ−ＴＲＸ部５−１〜５−ｎは１セクタに１台設置されているので、ＡＭＰ部３と同様に１リンクで１セクタの監視制御範囲となる。ＭＤＥ部１とＡＭＰ部３の各セクタとは独立したリンクにて接続されているので、以上のようなセクタ単位の保守監視制御を非同期で実施することができる。保守監視制御をリンク単位に非同期で実施することで、柔軟な対応が可能になる。
【００３２】
図２にはＡＭＰ部３におけるセクタ＃１のリンク３０−１が代表リンクとなっている状態が模式的に示されている。外部装置１７，１８を監視する共通部１６の保守監視制御信号を代表リンク３０−１経由で送受信している。代表リンク３０−１はＡＭＰ部３における共通部１６の保守監視制御を実施するために用いられるので、代表リンクに障害が発生するとセクタ＃１だけでなく、ＡＭＰ部３の全体の保守監視制御が不能になるため影響が大きい。
【００３３】
本実施の形態では、代表リンクの切替えを行うことで、ＡＭＰ部３全体の保守監視制御が不能になる事態を防止している。
【００３４】
図７は代表リンクの切替え手順を示す図である。ＡＭＰ部３ではリンク毎に上記共通インタフェース（図５）を実装しており、全てのレイヤ(Layer1〜Layer4）を対象として障害検出を行っている。Active設定リンク（代表リンク）に障害が発生したことを検知すると（ステップＴ１０）、当該リンクの設定をActive設定からNegative設定に変更する（ステップＴ１１）。ＡＭＰ部３におけるリンク設定情報（Active設定／Negative設定）は各々対応するリンクに実装した共通インターフェースによりＭＤＥ部１へ送られる。
【００３５】
一方、現在の代表リンクをActive設定からNegative設定に変更した場合、当該故障検知リンクを共通部リンクとして使用しないことを要請する共通部リンク確立ＮＧを自律送信する（ステップＴ１２）。または共通部リンク確立ＮＧを送信するのに代えてNegative応答を行っても良い。
【００３６】
ＭＤＥ部１がＡＭＰ部３の各セクタ及びＯＦ−ＴＲＸ部５−１〜５−ｎとの間に確立したリンクを介してＡＭＰ部３及びＯＦ−ＴＲＸ部５−１〜５−ｎから各リンクのActive設定／Negative設定の情報を定期的に取得する。ＭＤＥ部１では、現在の代表リンクであるActive設定リンクの監視を行っている（ステップＳ２０）。Active設定がなくなった代表リンクが検出された場合（ステップＳ２１）、切替先の別のリンクが正常であるか否か判断する（ステップＳ２２）。当該ＡＭＰ部３における全リンクが障害発生又はＮＧであれば代表リンク切り替えは行えないので終了する。別のリンクに正常リンクが存在すれば、いずれかの正常リンクを代表リンクに決定する（ステップＳ２３）。決定した代表リンク情報は当該リンクを介してＡＭＰ部３の該当セクタへ送られる。
【００３７】
ＡＭＰ部３では、ＭＤＥ部１から代表リンクに指定されたリンクを介して代表リンク情報を受け取る。ＭＤＥ部１から代表リンク情報を受け取ったリンクでは共通部リンクとして使用できるか判断する（ステップＴ１３）。代表リンクに指定されたリンク番号に故障がある等の特別の事情がない限り、指定されたリンク番号をActive設定にして共通部リンク（代表リンク）に設定する。指定通りに代表リンクに設定した場合はＯＫ、特別の事情により代表リンク設定を行わない場合はＮＧを応答する（ステップＴ１３）。図８は現在の代表リンク３０−１に障害が発生したために、代表リンクを正常な他のリンクであるリンク３０−ｎに切り替える様子を示している。たとえば、他のリンク３０−２〜３０−ｎがすべて正常であれば、いずれのリンクを代表リンクとして用いても良い。
【００３８】
以上のように、本実施の形態によれば、複数セクタ対応の増幅装置はセクタ単位に保守監視制御範囲を設定し、１セクタ対応の増幅装置に対して１セクタとして１つの保守監視制御範囲を設定し、セクタ単位となる各保守監視制御範囲に１つのリンクを確立し、セクタ毎（リンク）に保守監視制御を行うので、増幅装置の装置種別や装置構成を意識することなく、保守監視制御を実施でき、ＭＤＥ部１での処理の簡素化を図ることができる。
【００３９】
また、共通部以外の保守監視制御範囲（セクタ）に対して確立した複数リンクの中から代表リンクを選択し、共通部を保守監視制御するための共通部リンクとして使用するので、共通部監視用のケーブルを別に敷設する必要がなく、専用監視ケーブルを設けることによるコストアップを防止できる。
【００４０】
また、本実施の形態によれば、共通部リンクとして使用する代表リンクに障害が発生した場合には、代表リンクを正常な別リンクに切り替えるので、ＡＭＰ部３の全体の保守監視制御が不能になるといった事態を防止することができる。
【産業上の利用可能性】
【００４１】
本発明は、ＡＭＰ部を光張り出し化した無線基地局装置における増幅装置の保守監視制御装置に適用可能である。
【図面の簡単な説明】
【００４２】
【図１】一実施の形態に係る保守監視制御システムが適用された無線基地局装置の概念図
【図２】一実施の形態に備えた光張出しＡＭＰ部の機能部構成を示す図
【図３】一実施の形態に備えたＯＦ−ＴＲＸ部の機能部構成を示す図
【図４】リンク番号と増幅装置との関係を説明する説明図
【図５】一実施の形態における共通インターフェースのプロトコルスタックを示す図
【図６】一実施の形態において代表リンクの決定手順を示す図
【図７】一実施の形態において代表リンクの切替え手順を示す図
【図８】代表リンクを正常な他のリンク切り替える様子を示した図
【符号の説明】
【００４３】
１  ＭＤＥ部
２  光ファイバケーブル
３  光張出しＡＭＰ部
４−１〜４−ｎ  光ファイバケーブル
５−１〜５−ｎ  ＯＦ−ＴＲＸ部
１１  保守監視制御部
１２  ベースバンド信号処理機能部
１３  送受信機能部（ＴＲＸ）
１４  増幅部（Ｔ−ＰＡ）
１５  送受信集約部（ＴＲＸ−ＩＮＦ）
１６  共通部
１７  ＯＡＲＡ部
１８  ＯＡＲＡＳＣ部
１９  デュプレクサ（ＤＵＰ）
２０  低雑音増幅器（ＬＮＡ）
３０−１〜３０−ｎ  リンク（ＡＭＰ部）
３１−１〜３１−ｎ  リンク（ＯＦ−ＴＲＸ部）
【図１】
2010041239.tif 000003
【図２】
2010041239.tif 000004
【図３】
2010041239.tif 000005
【図４】
2010041239.tif 000006
【図５】
2010041239.tif 000007
【図６】
2010041239.tif 000008
【図７】
2010041239.tif 000009
【図８】
2010041239.tif 000010